(57)【要約】【課題】複数の表示情報と対応付けられた画像情報を、表示情報の入力条件に適した切替時間にて表示切替することができる表示端末装置を提供することを目的とする。【解決手段】ＣＰＵ２１は、スライドショーの選択指示があったかどうかを判断し（Ｓ１０１）、有ったと判断した場合（Ｓ１０１：ＹＥＳ）、続いて切替時間設定処理を実行する（Ｓ１０２）。次にＣＰＵ２１は画像情報を表示する処理を実行する（Ｓ１０３）。そして表示している画像情報に対応する複数の入力情報を再生する処理を実行し（Ｓ１０４）、切替時間を経過したかどうかを判断する（Ｓ１０５）。経過したと判断した場合（Ｓ１０５：ＹＥＳ）、次に表示すべき画像情報があるかどうかを判断し（Ｓ１０６）、有ると判断した場合は（Ｓ１０６：ＹＥＳ）、ステップＳ１０３の処理へ戻り、次に表示すべき画像情報に表示を切替える。【選択図】図８
2011077859.tif 000002
【特許請求の範囲】
【請求項１】
画像情報を表示する表示領域を備えた表示手段と、複数の前記画像情報を一定時間毎に切替えながら前記表示手段への表示を制御する表示制御手段を備えた表示端末装置において、
前記画像情報に付加して表示する情報である表示情報と、前記表示情報が複数対応付けられた前記画像情報を取得する画像情報取得手段と、
前記画像情報取得手段により取得した複数の前記表示情報に基づいて、前記表示手段に前記画像情報を表示中に複数の前記表示情報を連続して再生表示する条件である再生表示条件と、前記画像情報を別の前記画像情報に切替えるまで条件である切替条件を制御する表示条件制御手段と、
を備えることを特徴とする表示端末装置。
【請求項２】
前記表示情報は、入力された情報である入力情報と、前記入力情報を入力した入力者の情報である入力者情報と、前記入力情報を入力した時の時間情報とを少なくとも含み、
前記画像情報取得手段により取得した前記画像情報に、前記入力情報と前記入力者情報と前記時間情報を対応付けして記憶する画像情報記憶手段と、
をさらに備えることを特徴とする請求項１に記載の表示端末装置。
【請求項３】
前記表示条件制御手段は、前記画像情報記憶手段に記憶されている前記入力者情報の件数を計数し、前記件数の多い前記入力者情報に対応する前記表示情報から順に再生表示する条件を前記再生表示条件とすることを特徴とする請求項２に記載の表示端末装置。
【請求項４】
前記表示条件制御手段は、前記画像情報記憶手段に記憶されている前記表示情報に対応する時間情報が過去時刻から現在時刻に向かって昇順に再生表示する条件を前記再生表示条件とすることを特徴とする請求項２に記載の表示端末装置。
【請求項５】
前記表示端末装置は、前記画像情報記憶手段に記憶されている一の前記画像情報に対応する複数の前記入力情報を前記表示手段に同時に表示した場合、前記入力情報同士で重なる領域があるかどうかを判断する表示領域判断手段をさらに備え、
前記表示条件制御手段は、前記表示領域判断手段により複数の前記入力情報が重ならないと判断した前記画像情報を表示する場合、前記画像情報に対応した複数の前記入力情報を上書きするよう再生表示することを特徴とする請求項２乃至４のいずれかに記載の表示端末装置。
【請求項６】
前記表示端末装置は、通信回線を介して他の前記表示端末装置へ前記画像情報を送信する方法である送信方法を指定する送信方法指定手段と、
前記送信方法指定手段により指定された前記送信方法の情報である送信方法情報を前記画像情報に対応付けして、他の前記表示端末装置へ前記画像情報を前記送信方法にて送信する送信手段をさらに備え、
他の前記表示端末装置の前記送信手段により送信された前記画像情報を前記画像情報取得手段で取得し、かつ前記画像情報に前記送信方法情報が対応付けられている場合、
前記表示条件制御手段は、前記送信方法情報に基づいて、前記画像情報に対応する複数の前記表示情報の再生表示条件を制御することを特徴とする請求項２に記載の表示端末装置。
【請求項７】
前記送信方法情報は、前記画像情報を他の複数の前記表示端末装置に同時に送信する同時送信方法か、または前記画像情報を他の複数の前記表示端末装置間で順番に回覧する回覧送信方法かの情報であり、
前記画像情報取得手段により他の前記表示端末装置から取得した前記画像情報に対応する前記送信方法情報が前記回覧送信方法であった場合、
前記表示条件制御手段は、前記画像情報に対応した前記表示情報の前記時間情報が過去時刻から現在時刻に向かって昇順に再生表示する条件を前記再生表示条件とすることを特徴とする請求項６に記載の表示端末装置。
【請求項８】
前記表示条件制御手段は、前記表示情報の前記入力情報が文字情報かどうかを判断し、前記文字情報であると判断した場合、前記文字情報の文字数に基づいて前記入力情報を再生表示する時間を制御することを特徴とする請求項２乃至７のいずれかに記載の表示端末装置。
【請求項９】
画像情報を表示する表示領域を備えた表示手段と、複数の前記画像情報を一定時間毎に切替えながら前記表示手段への表示を制御する表示制御手段を備えた表示端末装置にて処理する画像表示制御方法において、
前記画像情報に付加して表示する情報である表示情報と、前記表示情報が複数対応付けられた前記画像情報を取得する画像情報取得ステップと、
前記画像情報取得ステップにより取得した複数の前記表示情報に基づいて、前記表示手段に前記画像情報を表示中に複数の前記表示情報を連続して再生表示する条件である再生表示条件と、前記画像情報を別の前記画像情報に切替えるまで条件である切替条件を制御する表示条件制御ステップと、
を処理することを特徴とする画像表示制御方法。
【請求項１０】
画像情報を表示する表示領域を備えた表示手段と、複数の前記画像情報を一定時間毎に切替えながら前記表示手段への表示を制御する表示制御手段を備えた表示端末装置を実行させる画像表示制御プログラムにおいて、
前記画像情報に付加して表示する情報である表示情報と、前記表示情報が複数対応付けられた前記画像情報を取得する画像情報取得ステップと、
前記画像情報取得ステップにより取得した複数の前記表示情報に基づいて、前記表示手段に前記画像情報を表示中に複数の前記表示情報を連続して再生表示する条件である再生表示条件と、前記画像情報を別の前記画像情報に切替えるまでの条件である切替条件を制御する表示条件制御ステップと、
を前記表示端末装置で実行させるための画像表示制御プログラム。
【発明の詳細な説明】
【技術分野】
【０００１】
本発明は、複数の表示情報と対応付けられた画像情報を表示する表示端末装置、画像表示制御方法、画像表示制御プログラムに関する。
【背景技術】
【０００２】
従来、所定の記憶媒体に記憶された画像を読み出し、その画像を表示手段に表示させるデジタルフォトフレームが広く一般に用いられている。また、上述のようなデジタルフォトフレーム或いは一般的な表示装置において、複数の画像を所定の時間間隔で断続的に切替表示させるスライドショー表示制御を実行し得るものが知られている。さらに、スライドショーの再生が単調で退屈にならないように、設定された条件で再生速度、再生時間を変化させながらスライドショーの表示制御を行う再生装置も開示されている。（特許文献１）
【先行技術文献】
【特許文献】
【０００３】
【特許文献１】特開２００７−６７７６７号公報
【発明の概要】
【発明が解決しようとする課題】
【０００４】
しかしながら、前記記載の再生装置では、スライドショーの再生速度や再生時間を予め装置にそれぞれ設定する必要があり、その設定操作が煩わしいという問題がある。また、スライドショーで表示する画像に、タッチパネル等の手書き入力手段を備えた装置を用いて、複数の利用者により画像にコメント等の手書き入力情報が追加されている場合、その手書き入力情報の入力条件に適した条件で、画像をスライドショーにて表示制御したいという要望に対して、現状ではそれらを実現する技術が考案されていないという課題もある。
【０００５】
本発明は、上記課題を解決するためになされたものであり、画像情報に付加されている複数の入力情報である表示情報を、表示中の画像情報と同じ表示画面に再生表示する場合、複数の画像情報と表示情報を、表示情報の入力条件に適した切替時間にて表示切替することができる表示端末装置を提供することを目的とする。
【課題を解決するための手段】
【０００６】
上記目的を達成するために、請求項１に係る発明の表示端末装置は、画像情報を表示する表示領域を備えた表示手段と、複数の前記画像情報を一定時間毎に切替えながら前記表示手段への表示を制御する表示制御手段を備えた表示端末装置において、前記画像情報に付加して表示する情報である表示情報と、前記表示情報が複数対応付けられた前記画像情報を取得する画像情報取得手段と、前記画像情報取得手段により取得した複数の前記表示情報に基づいて、前記表示手段に前記画像情報を表示中に複数の前記表示情報を連続して再生表示する条件である再生表示条件と、前記画像情報を別の前記画像情報に切替えるまで切替条件を制御する表示条件制御手段とを備えることを特徴とする。
【０００７】
請求項２に係る発明の表示端末装置では、請求項１に記載の発明の構成に加え、前記表示情報は、入力された情報である入力情報と、前記入力情報を入力した入力者の情報である入力者情報と、前記入力情報を入力した時の時間情報とを少なくとも含み、前記画像情報取得手段により取得した前記画像情報に、前記入力情報と前記入力者情報と前記時間情報を対応付けして記憶する画像情報記憶手段とをさらに備えることを特徴とする。
【０００８】
請求項３に係る発明の表示端末装置では、請求項２に記載の発明の構成に加え、前記表示条件制御手段は、前記画像情報記憶手段に記憶されている前記入力者情報の件数を計数し、前記件数の多い前記入力者情報に対応する前記表示情報から順に再生表示する条件を前記再生表示条件とすることを特徴とする。
【０００９】
請求項４に係る発明の表示端末装置では、請求項２に記載の発明の構成に加え、前記表示条件制御手段は、前記画像情報記憶手段に記憶されている前記表示情報に対応する時間情報が過去時刻から現在時刻に向かって昇順に再生表示する条件を前記再生表示条件とすることを特徴とする。
【００１０】
請求項５に係る発明の表示端末装置では、請求項２乃至４のいずれかに記載の発明の構成に加え、前記表示端末装置は、前記画像情報記憶手段に記憶されている一の前記画像情報に対応する複数の前記入力情報を前記表示手段に同時に表示した場合、前記入力情報同士で重なる領域があるかどうかを判断する表示領域判断手段をさらに備え、前記表示条件制御手段は、前記表示領域判断手段により複数の前記入力情報が重ならないと判断した前記画像情報を表示する場合、前記画像情報に対応した複数の前記入力情報を上書きするよう再生表示することを特徴とする。
【００１１】
請求項６に係る発明の表示端末装置では、請求項２に記載の発明の構成に加え、前記表示端末装置は、通信回線を介して他の前記表示端末装置へ前記画像情報を送信する方法である送信方法を指定する送信方法指定手段と、前記送信方法指定手段により指定された前記送信方法の情報である送信方法情報を前記画像情報に対応付けして、他の前記表示端末装置へ前記画像情報を前記送信方法にて送信する送信手段をさらに備え、他の前記表示端末装置の前記送信手段により送信された前記画像情報を前記画像情報取得手段で取得し、かつ前記画像情報に前記送信方法情報が対応付けられている場合、前記表示条件制御手段は、前記送信方法情報に基づいて、前記画像情報に対応する複数の前記表示情報の再生表示条件を制御することを特徴とする。
【００１２】
請求項７に係る発明の表示端末装置では、請求項６に記載の発明の構成に加え、前記送信方法情報は、前記画像情報を他の複数の前記表示端末装置に同時に送信する同時送信方法か、または前記画像情報を他の複数の前記表示端末装置間で順番に回覧する回覧送信方法かの情報であり、前記画像情報取得手段により他の前記表示端末装置から取得した前記画像情報に対応する前記送信方法情報が前記回覧送信方法であった場合、前記表示条件制御手段は、前記画像情報に対応した前記表示情報の前記時間情報が過去時刻から現在時刻に向かって昇順に再生表示する条件を前記再生表示条件とすることを特徴とする。
【００１３】
請求項８に係る発明の表示端末装置では、請求項２乃至７のいずれかに記載の発明の構成に加え、前記表示条件制御手段は、前記表示情報の前記入力情報が文字情報かどうかを判断し、前記文字情報であると判断した場合、前記文字情報の文字数に基づいて前記入力情報を再生表示する時間を制御することを特徴とする。
【００１４】
請求項９に係る発明においては、画像情報を表示する表示領域を備えた表示手段と、複数の前記画像情報を一定時間毎に切替えながら前記表示手段への表示を制御する表示制御手段を備えた表示端末装置にて処理する画像表示制御方法であって、前記画像情報に付加して表示する情報である表示情報と、前記表示情報が複数対応付けられた前記画像情報を取得する画像情報取得ステップと、前記画像情報取得ステップにより取得した複数の前記表示情報に基づいて、前記表示手段に前記画像情報を表示中に複数の前記表示情報を連続して再生表示する条件である再生表示条件と、前記画像情報を別の前記画像情報に切替えるまで切替条件を制御する表示条件制御ステップとを処理することを特徴とする。
【００１５】
請求項１０に係る発明においては、画像情報を表示する表示領域を備えた表示手段と、複数の前記画像情報を一定時間毎に切替えながら前記表示手段への表示を制御する表示制御手段を備えた表示端末装置を実行させる画像表示制御プログラムであって、前記画像情報に付加して表示する情報である表示情報と、前記表示情報が複数対応付けられた前記画像情報を取得する画像情報取得ステップと、前記画像情報取得ステップにより取得した複数の前記表示情報に基づいて、前記表示手段に前記画像情報を表示中に複数の前記表示情報を連続して再生表示する条件である再生表示条件と、前記画像情報を別の前記画像情報に切替えるまで切替条件とを制御する表示条件制御ステップとを前記表示端末装置で実行させることを特徴とする。
【発明の効果】
【００１６】
請求項１に係る発明の表示端末装置では、画像情報を表示する表示領域を備えた表示手段と、複数の前記画像情報を一定時間毎に切替えながら前記表示手段への表示を制御する表示制御手段を備えた表示端末装置において、前記画像情報に付加して表示する情報である表示情報と、前記表示情報が複数対応付けられた前記画像情報を取得し、取得した複数の前記表示情報に基づいて、前記表示手段に前記画像情報を表示中に複数の前記表示情報を連続して再生表示する条件である再生表示条件と、前記画像情報を別の前記画像情報に切替えるまでの条件である切替条件とを制御する。よって、画像情報に付加されている複数の入力情報である表示情報を、表示中の画像情報と同じ表示画面に再生表示する場合、複数の画像情報と表示情報を、複数の表示情報の入力条件に適した切替時間にて表示切替することができるので、利用者は複数の画像情報と複数の表示情報を最適な条件で鑑賞することができる。
【００１７】
請求項２に係る発明の表示端末装置では、請求項１に記載の発明の効果に加え、前記表示情報は、入力された情報である入力情報と、前記入力情報を入力した入力者の情報である入力者情報と、前記入力情報を入力した時の時間情報とを少なくとも含み、取得した前記画像情報に、前記入力情報と前記入力者情報と前記時間情報を対応付けして記憶する。よって、利用者は、画像情報に対応付けられた複数の表示情報の入力者の情報を確認することができ、さらに表示情報が入力された時の入力が開始されてから終了までの入力時間分の間、表示情報に対応する画像情報を表示することができるので、複数の表示情報の再生表示が確実に終わるまで、対応する画像情報を鑑賞することができる。
【００１８】
請求項３に係る発明の表示端末装置では、請求項２に記載の発明の効果に加え、前記画像情報記憶手段に記憶されている前記入力者情報の件数を計数し、前記件数の多い前記入力者情報に対応する前記表示情報から順に再生表示する条件を前記再生表示条件とする。よって、入力件数が多い入力者によって入力された表示情報から順に再生表示できるので、利用者は画像情報に対応付けられた複数の表示情報の中で、既知の入力者により入力された表示情報から先に鑑賞することができる。
【００１９】
請求項４に係る発明の表示端末装置では、請求項２に記載の発明の効果に加え、前記画像情報記憶手段に記憶されている前記表示情報に対応する時間情報が過去時刻から現在時刻に向かって昇順、すなわち古い順に再生表示する条件を前記再生表示条件とする。よって、利用者は、画像情報に対応付けられた複数の表示情報の中で、入力された時刻の順番で鑑賞することができる。
【００２０】
請求項５に係る発明の表示端末装置では、請求項２乃至４のいずれかに記載の発明の効果に加え、前記表示端末装置は、前記画像情報記憶手段に記憶されている一の前記画像情報に対応する複数の前記入力情報を前記表示手段に同時に表示した場合、前記入力情報同士で重なる領域があるかどうかを判断する。そして複数の前記入力情報が重ならないと判断した前記画像情報を表示する場合、前記画像情報に対応した複数の前記入力情報を上書きするよう再生表示する。よって、利用者は、画像情報に対応付けられた複数の表示情報を、順番に上書きするように再生することができるので、最終的に全ての表示情報を同時に確認することができる。
【００２１】
請求項６に係る発明の表示端末装置では、請求項２に記載の発明の効果に加え、前記表示端末装置は、通信回線を介して他の前記表示端末装置へ前記画像情報を送信する方法である送信方法を指定する。そして指定された前記送信方法の情報である送信方法情報を前記画像情報に対応付けして、他の前記表示端末装置へ前記画像情報を前記送信方法にて送信する。また、他の前記表示端末装置により送信された前記画像情報を取得し、かつ前記画像情報に前記送信方法情報が対応付けられている場合、前記送信方法情報に基づいて、前記画像情報に対応する複数の前記表示情報の再生表示条件を制御する。よって、利用者は、指定した送信方法によって送信された画像情報を他の表示端末装置から受信した場合、送信方法に適した再生条件で、画像情報に対応つけられた複数の表示情報を確認することができる。
【００２２】
請求項７に係る発明の表示端末装置では、請求項６に記載の発明の効果に加え、前記送信方法情報は、前記画像情報を他の複数の前記表示端末装置に同時に送信する同時送信方法か、または前記画像情報を他の複数の前記表示端末装置間で順番に回覧する回覧送信方法かの情報であり、他の前記表示端末装置から取得した前記画像情報に対応する前記送信方法情報が前記回覧送信方法であった場合、前記画像情報に対応した前記表示情報の前記時間情報が過去時刻から現在時刻に向かって昇順に再生表示する条件を前記再生表示条件とする。よって、利用者が回覧する回覧送信方法で送信した画像情報が、他の表示端末装置から受信した場合は、画像情報に対応付けられた複数の表示情報を入力された順に確認することができる。
【００２３】
請求項８に係る発明の表示端末装置では、請求項２乃至７のいずれかに記載の発明の効果に加え、前記表示情報の前記入力情報が文字情報かどうかを判断し、前記文字情報であると判断した場合、前記文字情報の文字数に基づいて前記入力情報を再生表示する時間を制御する。よって、利用者は、画像情報に対応付けられた複数の表示情報の中で、入力された文字数の多い表示情報から順に確認することができる。
【００２４】
請求項９に係る発明においては、画像情報を表示する表示領域を備えた表示手段と、複数の前記画像情報を一定時間毎に切替えながら前記表示手段への表示を制御する表示制御手段を備えた表示端末装置にて処理する画像表示制御方法であって、前記画像情報に付加して表示する情報である表示情報と、前記表示情報が複数対応付けられた前記画像情報を取得し、取得した複数の前記表示情報に基づいて、前記表示手段に前記画像情報を表示中に複数の前記表示情報を連続して再生表示する条件である再生表示条件と、前記画像情報を別の前記画像情報に切替えるまでの条件である切替条件を制御する。よって、画像情報に付加されている複数の入力情報である表示情報を、表示中の画像情報と同じ表示画面に再生表示する場合、複数の画像情報と表示情報を、複数の表示情報の入力条件に適した切替時間にて表示切替することができるので、利用者は複数の画像情報と複数の表示情報を最適な条件で鑑賞することができる。
【００２５】
請求項１０に係る発明においては、画像情報を表示する表示領域を備えた表示手段と、複数の前記画像情報を一定時間毎に切替えながら前記表示手段への表示を制御する表示制御手段を備えた表示端末装置を実行させる画像表示制御プログラムであって、前記画像情報に付加して表示する情報である表示情報と、前記表示情報が複数対応付けられた前記画像情報を取得し、取得した複数の前記表示情報に基づいて、前記表示手段に前記画像情報を表示中に複数の前記表示情報を連続して再生表示する条件である再生表示条件と、前記画像情報を別の前記画像情報に切替えるまでの条件である切替条件を制御する。よって、画像情報に付加されている複数の入力情報である表示情報を、表示中の画像情報と同じ表示画面に再生表示する場合、複数の画像情報と表示情報を、複数の表示情報の入力条件に適した切替時間にて表示切替することができるので、利用者は複数の画像情報と複数の表示情報を最適な条件で鑑賞することができる。
【図面の簡単な説明】
【００２６】
【図１】表示端末装置１０の概略構成図である。
【図２】表示端末装置１０の電気的構成図である。
【図３】フラッシュＲＯＭ２４の説明図である。
【図４】画像情報データベース２４１１の説明図である。
【図５】スライドショー情報データベース２４２１の説明図である。
【図６】表示端末装置１０の表示画面説明図である。
【図７】表示情報データベース２４３１の説明図である。
【図８】表示端末装置１０で実行されるメイン処理のフローチャート図である。
【図９】表示端末装置１０で実行される切替時間設定処理のフローチャート図である。
【図１０】切替時間情報データベース２４２２の説明図である。
【図１１】表示端末装置１０の表示画面説明図である。
【図１２】表示端末装置１０の表示画面説明図である。
【図１３】変形実施形態１にて実行される画像送信処理のフローチャート図である。
【図１４】変形実施形態１にて実行されるメイン処理２のフローチャート図である。
【図１５】変形実施形態１での画像情報データベース２４１２の説明図である。
【図１６】変形実施形態１で実行される表示情報再生処理のフローチャート図である。
【図１７】図８のメイン処理のステップＳ１０４の変形実施形態２である表示情報再生処理２のフローチャート図である。
【発明を実施するための形態】
【００２７】
以下、本発明を具体化した表示端末装置の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２８】
まず、図１〜図２を参照して、本実施形態の表示端末装置１０の外観図、及び電気的構成について説明する。
【００２９】
図１を参照して、本実施形態の表示端末装置１０について説明する。図１に示すように、表示端末装置１０は、矩形状の筐体に画像情報を表示する為の表示手段１２が備えられている。また、表示手段１２には、利用者の指や備え付けのタッチペン１１により入力された位置情報を取得するタッチパネルが重ねて配置されている。タッチペン１１は一例として記載したものである。
【００３０】
次に図２を参照して、表示端末装置１０の電気的構成について説明する。本実施形態の表示端末装置１０は、図２に示すように、ＣＰＵ２１、ＲＯＭ２２、ＲＡＭ２３、フラッシュＲＯＭ２４と、表示手段１２を構成する表示モニタ２６、タッチパネル２７と、さらに計時手段２８、通信手段２５を備えており、これらはすべてバスで相互に接続されている。
【００３１】
ＣＰＵ２１は、表示端末装置１０全体の制御を司る。ＲＯＭ２２は、表示端末装置１０の基本的な動作に必要なプログラムやそのための設定値等を記憶している。ＣＰＵ２１は、ＲＯＭ２２に記憶されたプログラムに従って、表示端末装置１０の動作を制御する。ＲＡＭ２３は、各種データを一時的に記憶するための記憶装置である。また、フラッシュＲＯＭ２４は、不揮発性の半導体メモリであり、後述する各種記憶エリアを備えている。
【００３２】
表示手段１２は、利用者が表示端末装置１０の各種操作を行うための操作画面や、他機器から取得した画像データ等を表示する表示モニタ２６と、前述の表示モニタ２６に重ねて配置された汎用的なタッチパネル２７で構成されている。利用者が表示手段１２を参照しながらタッチ入力すると、タッチパネル２７はタッチ入力された位置情報を取得することができる。また、計時手段２８は、現在時刻を提示する時計機能を備えた機器であり、上述のタッチパネルにより取得された位置情報に現在時刻情報を付与する機能も備えている。また、通信手段２５は、表示手段１２に表示する画像情報を、他の機器とインターネット３０を介して送受信するための機器である。また、ここでの通信手段２５は電話回線を用いて情報を送受信できる機器を採用してもよい。
【００３３】
次に図３~５を参照して、フラッシュＲＯＭ２４の構成について説明する。フラッシュＲＯＭ２４は、画像情報記憶エリア２４１、スライドショー情報記憶エリア２４２、表示情報記憶エリア２４３等を含む各種記憶エリアで構成されている。画像情報記憶エリアには、他機器から取得した写真などの画像情報が、図４に示すような画像情報データベース２４１１として記憶されている。また、スライドショー情報記憶エリア２４２は、複数の画像情報を所定時間間隔で断続的に切替表示するスライドショーの情報が、図５に示すようなスライドショー情報データベース２４２１として記憶されている。また、表示情報記憶エリア２４３には、後述する図７に示す表示情報データベース２４３１−１、２４３１−２が記憶されている。
【００３４】
ここで図４を参照しながら、画像情報データベース２４１１について説明する。画像情報データベース２４１１は、画像ＩＤ、画像情報、入力情報、入力者情報、入力文字数、入力情報の入力時刻の項目が、対応付けて記憶されている。画像ＩＤの項目には、画像情報を識別する情報が数値情報で記憶されている。また画像ＩＤは、表示端末装置１０が画像情報を取得した時に、自動的に採番されるようになっている。画像情報の項目には、画像情報のファイル名が記憶されている。画像情報とは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）、ＧＩＦ（Ｇｒａｐｈｉｃｓ  Ｉｎｔｅｒｃｈａｎｇｅ  Ｆｏｒｍａｔ）等のファイル形式の画像情報が、それぞれのファイル名に対応して記憶されている。また、入力情報の項目には、上述の画像情報に対して、ユーザが表示端末装置１０を操作して、入力した情報の識別情報が記号で記憶されている。入力情報についての詳細な説明は後述するが、表示端末装置１０のタッチパネル２７を介して入力された手書き入力情報や、表示端末装置１０に接続可能な図示しないキーボード手段など用いて入力された文字の情報であるテキストデータ等が記憶されている。また、入力者情報の項目には、入力情報を入力した入力者の識別情報が記憶されている。入力文字数の項目には、入力情報が上述したテキストデータの場合、テキストデータを解析して入力されている文字数を検出し、入力されている文字の文字数の情報が記憶されている。また、入力情報の入力時刻の項目には、入力情報が利用者により入力が開始された時刻の情報が記憶されている。ここで、具体的に説明すると、例えば、画像ＩＤが００１では、画像情報ＡＡＡと対応付けられているが、入力情報、入力者情報、入力文字数の項目は何も記憶されていないことを示している。また、画像ＩＤが００２では、画像情報ＢＢＢと、入力情報Ｂ１、Ｂ２、Ｂ３、Ｂ４に対してそれぞれの入力者情報がＫ、Ｌ、Ｍ、Ｎと対応付けられて記憶されている。また本実施形態では入力情報のＢ３、Ｂ４をテキストデータとするので、入力文字数の情報として、７、１０の数値が対応付けて記憶されている。そして入力情報のＢ１、Ｂ２、Ｂ３、Ｂ４に対して入力時刻がそれぞれ、２００８／０９／０１／１５：００、２００８／０９／０２／９：００、２００８／０９／０３／１５：００、２００８／０９／０４／１０：００が対応付けて記憶されている。
【００３５】
次に、図５を参照して、スライドショー情報データベース２４２１について説明する。スライドショー情報データベース２４２１は、スライドショーＩＤと、画像ＩＤの項目が対応付けて記憶されている。スライドショーＩＤは、スライドショーの情報を識別するための識別情報を記号で記憶されており、利用者により、複数の画像情報を選択してスライドショーを作成された時に自動的に採番されるようになっている。画像ＩＤの項目には、画像情報データベース２４１１に記憶されている複数の画像情報の中から、スライドショーとして表示するために選択された画像情報の画像ＩＤが記憶されている。例えば、スライドショーＩＤがＬ１では、画像ＩＤ００１、００２、００３、００４が対応付けて記憶されている。よって、利用者が表示端末装置１０を操作して、スライドショーＩＤがＬ１を選択すると、画像ＩＤが００１、００２、００３、００４に対応する画像情報と表示情報を、表示手段１２にスライドショーで表示することができる。
【００３６】
次に、図６、７を参照しながら、画像情報データベース２４１１に対応付けてられている表示情報の中の入力情報について具体的に説明する。図６は、表示端末装置１０の表示手段１２に、画像情報データベース２４１１の画像ＩＤ００２に対応する画像情報ＢＢＢと、それに対応する表示情報とが同時に表示されている状態の表示画面説明図である。図６に示すように、入力情報Ｂ１、Ｂ２は両方共、写真等の画像情報に対して、利用者が記号や絵、またはコメント等の文字を、タッチパネルを用いて手書きで入力した情報である。また、上述の入力情報Ｂ１、Ｂ２は、図７（ａ）、（ｂ）に示すように表示手段１２へ表示するための座標情報である表示情報データベース２４３１―１（図７（ａ））、２４３１−２（図７（ｂ））として、表示情報記憶エリア２４３に記憶されている。また、表示手段１２の下部に表示されている文字情報表示領域５０には、詳細は後述するが、画像情報データベース２４１１に記憶されている入力情報Ｂ３、Ｂ４に対応するテキストデータが、文字情報として表示される領域である。例えば、本実施形態では、入力情報Ｂ３のテキストデータには入力文字数が７文字で“カワイイ犬だね”という情報が記憶されているとし、入力情報Ｂ４には、入力文字数が１０文字で、“今度一緒に散歩しよう”などのコメントを示す情報が記憶されているとする。
【００３７】
ここで、図７を参照しながら表示情報データベース２４３１―１、２４３１−２について詳細に説明をする。表示情報データベース２４３１−１、２４３１−２は、Ｘ座標、Ｙ座標と入力時刻の項目が対応付けて記憶されている。Ｘ座標、Ｙ座標の項目には、対応する画像情報の表示領域での所定の基準位置、例えば、中心位置や左上角の位置を基準座標（０、０）として、タッチパネル２７に入力された入力情報の相対的な表示位置を示す情報が数値で所定時間間隔毎（例えば２００ｍｓ間隔）に記憶されている。また、入力時刻の項目には、表示端末装置１０に備えられている計時手段２８から取得した時刻情報が、Ｘ座標、Ｙ座標情報と対応付けて年／月／日／時刻：分：秒：ｍｓの情報で記憶されている。例えば、図７に示す様に、利用者により入力された入力情報Ｂ１は、Ｘ座標がｘ１、Ｙ座標がｙ１の位置にタッチ入力された時刻が２００８／０９／０１／１５：００：００：０００であることを示している。また、本実施形態での所定時間間隔である２００ｍｓ後の時刻２００８／９／０１／１５：００：００：２００では、Ｘ座標がｘ２、Ｙ座標がｙ２の位置でタッチ入力されていることを示している。以後も所定時間間隔である２００ｍｓ毎に、利用者がタッチパネルに対して手書きで入力した座標情報が、表示情報データベース２４３１−１に記憶されている。よって、図７に示す表示情報データベース２４３１−１は、本実施形態での入力情報Ｂ１が、Ｘ座標がｘ１〜ｘ１５１、Ｙ座標がｙ１〜ｙ１５１の情報で記憶されていることを示している。こうして、座標情報、時間を特定することで図６に示すような入力情報Ｂ１が描ける。また入力情報Ｂ２も同様に、表示情報データベース２４３１−２に、Ｘ座標がｘ２００〜ｘ３５１、Ｙ座標がｙ２００〜ｙ３５１の情報で記憶されていることを示している。また、表示情報データベース２４３１−１において、利用者により入力情報Ｂ１が入力された入力時間は、入力が開始された入力時刻が２００８／０９／０１／１５：００：００：０００を、入力が終了した時刻である２００８／０９／０１／１５：００：０３：０００から減算すれば、３秒間であることが算出できるようになっている。また、同様に入力情報Ｂ２の入力時間も、入力が開始された入力時刻が２００８／０９／０２／９：００：０４：０００を、入力が終了した時刻である２００８／０９／０２／０９：００：０７：０００から減算すれば、３秒間であることが算出できる。
【００３８】
以下に、図８を参照して、表示端末装置１０において実行されるメイン処理について説明する。図８に示すメイン処理は、ＲＯＭ２２に記憶されたプログラムに従って、ＣＰＵ２１が実行する処理である。
【００３９】
図８に示すメイン処理は、表示端末装置１０の電源がＯＮにされると開始される。まず初めに、ＣＰＵ２１は、スライドショーの選択指示があったかどうかを判断する（Ｓ１０１）。ここでは、利用者が表示端末装置１０を操作し、スライドショー情報データベース２４２１から、再生したいスライドショーのＩＤを指示入力したかどうかを判断する。ここでの指示入力方法についての詳細な説明は省略するが、例えば表示手段１２にスライドショーＩＤの選択画面を表示させ、利用者がタッチペン１１や指を用いて指示入力する等の入力方法を用いても良いし、または、直接スライドショーＩＤの番号を入力する等の方法を用いても良い。
【００４０】
そして、ステップＳ１０１の処理で、ＣＰＵ２１がスライドショーの選択指示が無いと判断した場合（Ｓ１０１：ＮＯ）、ステップＳ１０１に戻り、繰り返し処理が継続される。また、ステップＳ１０１の処理で、ＣＰＵ２１が、スライドショーの選択指示が有ったと判断した場合（Ｓ１０１：ＹＥＳ）、続いて切替時間設定処理を実行する（Ｓ１０２）。
【００４１】
ここで、図９を参照しながら切替時間設定処理について説明する。図９は切替時間設定処理のフローチャート図であり、まず初めにＣＰＵ２１は、選択したスライドショーに対応付けられている画像情報を抽出する処理を実行する（Ｓ２０１）。具体的には、図８のステップＳ１０１の処理にて選択されたスライドショーのＩＤをスライドショー情報データベース２４２１の中から特定し、対応する画像ＩＤの項目に記憶されている画像ＩＤの画像情報を、画像情報データベース２４１１から抽出する処理が実行される。例えば、本実施形態においてステップＳ１０１の処理で、利用者によりスライドショーＩＤがＬ１を選択された場合、スライドショー情報データベース２４２１を参照して画像ＩＤの００１、００２、００３、００４が特定され、さらに画像情報データベース２４１１を参照して、画像ＩＤが００１、００２、００３、００４に対応する各種情報を抽出する。
【００４２】
そして次に、ＣＰＵ２１は、ステップＳ２０１で抽出した画像ＩＤについて、対応する表示情報が記憶されているかどうかを、画像情報データベース２４１１を参照して、判断する処理を実行する（Ｓ２０２）。そして、ステップＳ２０２の処理にて対応する表示情報が無いと判断した場合（Ｓ２０２：ＮＯ）、ＣＰＵ２１は切替時間を所定時間に設定する処理を実行し（Ｓ２０８）、次の抽出すべき画像情報が有るかどうかを判断する処理を実行する（Ｓ２０９）。
【００４３】
ここで、上述したステップＳ２０１、Ｓ２０２、Ｓ２０８、Ｓ２０９の処理について、具体的に説明する。ステップＳ２０１の処理では、まず画像ＩＤ００１が抽出され、ＣＰＵ２１は画像情報データベース２４１１を参照して画像ＩＤ００１に対応する表示情報が記憶されていないと判断する（Ｓ２０２：ＮＯ）。そして、ステップＳ２０８の処理では、切替時間を所定時間（本実施形態では、例えば５秒とする）に設定し、図１０に示す切替時間情報データベース２４２２をＲＡＭ２３に一時作成保存する処理を行う。図１０に示す切替時間情報データベース２４２２は、画像ＩＤ、画像情報と、切替時間の項目を対応付けて記憶している。ここでいう切替時間とは、本実施形態での表示手段１２に表示する画像情報を、別の前記画像情報に切替えるまでの時間を示すものとする。よって、画像ＩＤが００１の場合は、切替時間が５秒と記憶される。そしてステップＳ２０８の処理の後、ステップＳ２０９の処理では、画像ＩＤ００１の次の画像ＩＤ００２が記憶されていることを判断し（Ｓ２０９：ＹＥＳ）、ステップＳ２０１へ戻る。
【００４４】
また、ステップＳ２０１（図９）の処理の説明に戻り、ステップＳ２０１で抽出された画像情報に表示情報が有ると判断した場合（Ｓ２０２：ＹＥＳ）、その表示情報の中の入力情報がテキスト情報かどうかを判断する（Ｓ２０３）。そして、ステップＳ２０３の処理にて、ＣＰＵ２１はテキスト情報では無いと判断した場合（Ｓ２０３：ＮＯ）、表示情報に対応する入力時刻から入力時間を算出する（Ｓ２０４）。
【００４５】
ここで、ステップＳ２０１〜Ｓ２０６の処理について、本実施形態を用いて具体的に説明をする。ステップＳ２０１の処理で、上述した画像ＩＤ００１の次の画像ＩＤ００２が抽出された場合、ステップＳ２０２の処理では、画像情報データベース２４１１（図４）を参照し、画像ＩＤ００２に対応する入力情報Ｂ１が有ると判断する（Ｓ２０２：ＹＥＳ）。そして次に、ステップＳ２０３の処理では、入力情報Ｂ１がテキスト情報かどうかを判断し（Ｓ２０３）、ＣＰＵ２１が入力情報Ｂ１をテキスト情報でないと判断するので（Ｓ２０３：ＮＯ）、入力情報Ｂ１に対応する表示情報データベース２４３１−１を参照して、入力情報Ｂ１の入力時間を、上述で説明したように入力時間を３秒と算出して、ＲＡＭ２３に一時記憶する。
【００４６】
続いて、ステップＳ２０６の処理では、ＣＰＵ２１は画像情報データベース２４１１を参照して、画像ＩＤ００２に対応する入力情報Ｂ１の他にも入力情報Ｂ２、Ｂ３、Ｂ４が記憶されているので、全ての表示情報に対してまだ処理していないと判断し（Ｓ２０６：ＮＯ）、ステップＳ２０３の処理に戻る。さらに、ステップＳ２０３の処理にて、ＣＰＵ２１は、入力情報Ｂ１の次の入力情報Ｂ２についてもテキスト情報かどうかを判断し、Ｂ１と同様にテキスト情報でないと判断される（Ｓ２０３：ＮＯ）。そして表示情報データベース２４３１−２を参照して、上述した様に入力時間を３秒と算出し、ＲＡＭ２３に一時記憶し（Ｓ２０４）、ステップＳ２０６の処理にて、他にもまだ未処理の表示情報があると判断し（Ｓ２０６：ＮＯ）、ステップＳ２０３の処理へ戻る。
【００４７】
そして、再度、ステップＳ２０３の処理では、ＣＰＵ２１が画像情報データベース２４１１を参照し、入力情報Ｂ２の次に記憶されている入力情報Ｂ３がテキスト情報かどうかを判断する。本実施形態では、入力情報Ｂ３はテキスト情報としているので、ステップＳ２０３の処理では、ＣＰＵ２１は、入力情報Ｂ３はテキスト情報であると判断し（Ｓ２０３：ＹＥＳ）、画像情報データベース２４１１から、対応する入力文字数の情報である７を抽出し、文字数×１秒で換算して入力時間を７秒として算出して、ＲＡＭ２３に一時記憶する（Ｓ２０５）。そして、続いてステップＳ２０６の処理で、まだ表示情報の全てに対して処理されていないと判断し（Ｓ２０６：ＮＯ）、ステップＳ２０３へ戻る。
【００４８】
次に、ステップＳ２０３の処理では、ＣＰＵ２１が画像情報データベース２４１１を参照し、入力情報Ｂ３の次に記憶されている入力情報Ｂ４がテキスト情報かどうかを判断する。本実施形態では、入力情報Ｂ３もテキスト情報としているので、ステップＳ２０３、Ｓ２０５の処理では、入力情報Ｂ３と同様の処理を実行し、入力時間が１０秒と算出され、ＲＡＭ２３に一時記憶する（Ｓ２０４）。
【００４９】
そして、ＣＰＵ２１は、画像情報データベース２４１１を参照し、画像ＩＤ００２に対応する表示情報に対して全て処理が終わったと判断し（Ｓ２０６：ＹＥＳ）、ステップＳ２０４とステップ２０５の処理にて算出された入力時間の合計を、切替時間として切替時間情報データベース２４２２に記憶する（Ｓ２０７）。本実施形態では、上述したように、入力情報Ｂ１の入力時間の３秒と、入力情報Ｂ２の３秒と、入力情報Ｂ３の７秒と、入力情報Ｂ４の１０秒を全て合計し、画像ＩＤ００２に対応する切替時間を２３秒として切替時間情報データベース２４２２に記憶する（Ｓ２０７）。
【００５０】
ステップＳ２０７の処理の後、ＣＰＵ２１は次の画像情報があるかどうかをスライドショー情報データベース２４２１を参照して判断し（Ｓ２０９）、画像ＩＤ００２の次に画像ＩＤ００３が有ると判断する（Ｓ２０９：ＹＥＳ）。よって、再度ステップＳ２０１の処理へ戻り、ＣＰＵ２１は画像ＩＤ００３についてステップＳ２０２〜Ｓ２０７までの処理を実行する。また、同様に画像ＩＤ００４についても上述と同様にＣＰＵ２１は処理を実行する。よって、画像ＩＤ００３、００４についての切替時間が、それぞれ１７秒、３４秒と算出されたとし、切替時間情報データベース２４２２に示すように記憶する。そして画像ＩＤ００４についてのステップＳ２０９の処理にて、ＣＰＵ２１は次の画像情報は無いと判断し（Ｓ２０９：ＮＯ）、本処理である切替時間設定処理を終了する。
【００５１】
図８のメイン処理に戻り、ステップＳ１０２の切替時間設定処理が実行された後、ＣＰＵ２１は画像情報を表示する処理を実行する（Ｓ１０３）。ステップＳ１０３の処理では、スライドショー情報データベース２４２１を参照して、ステップＳ１０１の処理で選択指示されたスライドショーＩＤに対応する画像ＩＤを抽出し、表示手段１２へ表示する処理を実行する。具体的には、ステップＳ１０１でスライドショーＩＤのＬ１が選択指示されたので、スライドショーＩＤがＬ１に対応する最初の画像ＩＤ００１が特定され、画像情報データベース２４１１を参照して画像情報ＡＡＡを表示手段１２へ表示する（Ｓ１０３）。
【００５２】
そしてステップＳ１０３の後、表示している画像情報に対応する表示情報を再生する処理を実行する（Ｓ１０４）。ステップＳ１０３の処理で、本実施形態では画像ＩＤ００１が特定されているが、画像情報データベース２４１１には画像ＩＤ００１に対応する表示情報が記憶されていないので、ステップＳ１０４では表示情報は何も再生表示されない。そして、次にＣＰＵ２１は切替時間を経過したかどうかを判断する（Ｓ１０５）。
【００５３】
ステップＳ１０５について具体的に説明すると、ステップＳ１０３の処理にて画像ＩＤ００１に対応する画像情報ＡＡＡを表示開始してから計時手段２８のタイマをスタートさせ、画像ＩＤ００１に対応する切替時間である５秒を、切替時間情報データベース２４２２から取得し、上述のタイマにて５秒を経過したかどうかを判断する（Ｓ１０５）。ＣＰＵ２１が切替時間を経過していないと判断した場合は（Ｓ１０５：ＮＯ）、経過するまで繰り返し処理が実行される。そして、ステップＳ１０５の処理にて、ＣＰＵ２１が画像ＩＤ００１の切替時間である５秒を経過したと判断した場合（Ｓ１０５：ＹＥＳ）、表示手段１２に次に表示すべき画像情報があるかどうかを判断する（Ｓ１０６）。そして次に表示すべき画像情報が有ると判断した場合は（Ｓ１０６：ＹＥＳ）、ステップＳ１０３の処理へ戻り、次に表示すべき画像情報に表示を切替え、その後のＳ１０４〜Ｓ１０６の処理を同様に実行する。または、ステップＳ１０６の処理で次に表示すべき画像情報が無いと判断した場合は（Ｓ１０６：ＮＯ）、本処理であるメイン処理は終了する。
【００５４】
また、上述で説明した画像ＩＤ００１に対してのステップＳ１０６の処理では、ＣＰＵ２１は画像ＩＤ００１の次に表示すべき画像ＩＤ００２があると判断し（Ｓ１０６：ＹＥＳ）、画像ＩＤ００２に対応した画像情報ＢＢＢを表示手段１２へ表示する（Ｓ１０３）。
【００５５】
ここで、画像ＩＤ００２に対するステップＳ１０３〜Ｓ１０６の処理について、図１１、図１２の表示画面説明図を参照しながら、具体的に説明する。まず、図１１の（ａ）の表示画面の状態は、ステップＳ１０３の処理にて、図示しない画像ＩＤ００１に対応する画像情報ＡＡＡから、画像ＩＤ００２に対応する画像情報ＢＢＢへ表示を切替えた後の状態とする。続いて、ステップＳ１０４の処理では、画像情報データベース２４１１を参照すると、表示している画像情報ＢＢＢに対応した表示情報である入力情報Ｂ１が記憶されているので、対応する表示情報データベース２４３１−１の座標情報に基づいて、図１１の（ｂ）に示す様に入力情報Ｂ１を、表示している画像情報ＢＢＢに重ねて再生表示する処理を実行する。図１１の（ｂ）は、入力情報Ｂ１が再生表示された後の状態を示すものであるが、ここで言う再生表示とは、表示情報データベース２４１１−１に記憶されている座標情報に対応する表示位置に、所定時間間隔（本実施形態では２００ｍｓ間隔）で、入力情報が入力された順に表示追加していく処理のことを言う。よって、利用者は、画像情報ＢＢＢの表示がされている間に、入力情報Ｂ１が３秒間で入力された時の様子を再現するような再生表示で確認することができる。
【００５６】
そして、ステップＳ１０４の処理にて、ＣＰＵ２１は入力情報Ｂ１の再生表示後に、入力情報Ｂ２に対応する表示情報データベース２４３１−２に基づいて、入力情報Ｂ２の再生表示を開始し、３秒間で再生表示を行う処理を実行する。よって、図１１の（ｃ）から（ｄ）の表示画面に示すように、画像情報ＢＢＢの表示に重ねて、表示情報である入力情報Ｂ２が再生表示される。
【００５７】
さらに、ステップ１０４の処理では引き続き、ＣＰＵ２１は、画像情報データベース２４１１を参照し、画像ＩＤ００２に対応付けられている表示情報の入力情報Ｂ３を抽出し、文字情報として再生表示する処理を実行する。図１２の（ｅ）に示すように、表示画面に画像情報ＢＢＢに、図１１にも示した入力情報Ｂ１、Ｂ２が重ねて表示されており、さらに、画面下部には入力情報Ｂ３に対応した文字情報５１が新たに追加表示されている状態である。上述に説明した文字情報の再生表示とは、入力されている文字が、１文字を１秒で順番に追加表示していく処理が行われるものとする。よって、本実施形態での入力情報Ｂ３では、画像情報データベース２４１１を参照すると、入力文字数が７と記憶されているので、入力情報Ｂ３の文字情報が１文字ずつ順番に７秒間で再生表示を行うことになる。したがって、図１２の（ｅ）は、入力情報Ｂ３の再生表示が完了した状態の表示画面の状態を示している。また、図１２の（ｅ）に示すように、文字情報表示領域５０の中に、入力情報Ｂ３の入力者の情報である入力者情報Ｍという記載を表示するようにしても良い。そうすれば、入力情報である文字情報が、誰によって入力されたかが、利用者に分かるようにすることもできる。
【００５８】
さらに続いて、ステップＳ１０４の処理では、文字情報表示領域５０の入力情報Ｂ３の再生表示後に、画像情報データベース２４１１を参照し、入力情報Ｂ４についても、入力情報Ｂ３と同様に再生表示を行う。また、入力情報Ｂ４は、入力文字数が１０と記憶されているので、再生表示時間が１０秒間で、１文字ずつ再生表示されることになる。図１２の（ｆ）は、表示情報である入力情報Ｂ４の再生表示が完了した時の表示画面の状態を示している。本実施形態では、画像ＩＤ００２のように入力情報としての文字情報が複数ある場合は、一つの文字情報の再生表示が完了したら、一旦文字情報表示領域５０内の表示を消去し、次に再生すべき文字情報の再生表示を開始するようになっているものとする。
【００５９】
そして、図８のメイン処理でのステップＳ１０５の処理にて、画像情報ＢＢＢが表示を開始してから、切替時間情報データベース２４２２に記憶されている画像ＩＤ００２に対応する切替時間である２３秒が経過したかどうかを判断する。ステップＳ１０５の処理にて２３秒が経過したと判断した場合（Ｓ１０５：ＹＥＳ）、ＣＰＵ２１は、次に表示すべき画像ＩＤ００３が有ることを判断し（Ｓ１０６：ＹＥＳ）、ステップＳ１０３の処理へ戻り、画像ＩＤ００３に対応した画像情報ＣＣＣの表示を開始する。図１２の（ｇ）では、画像情報ＣＣＣに表示が切替わった後の表示画面の状態を示している。図１２の（ｇ）以降では、表示画面の説明図は省略するが、画像ＩＤ００３、そして画像ＩＤ００４に対しても同様に、上述に説明したステップＳ１０３〜Ｓ１０６の処理がそれぞれ順番に実行される。そして画像ＩＤ００４のステップＳ１０６の処理にて、ＣＰＵ２１が次に表示すべき画像情報が無いと判断し（Ｓ１０６：ＮＯ）、本処理であるメイン処理が終了する。
【００６０】
よって、画像情報に付加されている複数の入力情報である表示情報を、表示中の画像情報と同じ表示画面に再生表示する場合、複数の画像情報と表示情報を、複数の表示情報の入力条件に適した切替時間にて表示切替することができるので、利用者は複数の画像情報と複数の表示情報を最適な条件で鑑賞することができる。
【００６１】
なお、上述で説明した本実施形態に示される構成や処理は例示であり、各種の変形が可能なことはいうまでもない。次に、本実施形態での変形例である変形実施形態１について、図１３〜１５を参照しながら説明する。変形実施形態１での表示端末装置１０は、上述した実施形態の表示端末装置１０と、概略構成、電気的構成について同じ構成とするので、構成についての説明は省略する。
【００６２】
変形実施形態１では、他拠点の表示端末装置１０へ画像情報を送信する場合に、送信方法として複数の表示端末装置１０を回覧するように送信するのか、または複数の表示端末装置１０へ同時に画像情報を送信するのかを指定して送信することができる。そしてその指定された送信方法で送信された画像情報を他拠点の表示端末装置１０から受信した場合、自拠点の表示端末装置１０にて実行されるメイン処理２について説明する。
【００６３】
図１３を参照し、変形実施形態１での表示端末装置１０にて実行される画像送信処理について説明する。図１３は、画像送信処理のフローチャート図であり、まず初めにＣＰＵ２１が画像情報の送信指示があったかどうかを判断する（Ｓ３０１）。ステップＳ３０１の処理にて送信指示が無いと判断した場合は（Ｓ３０１：ＮＯ）、ステップＳ３０１の処理へ戻り繰り返し処理を実行する。ここで言う画像情報の送信指示とは、具体的に説明すると、利用者が表示端末装置１０を操作して、記憶されている画像情報を他拠点の表示端末装置１０へ送信する指示があったかどうかを判断する。例えば、図示は省略するが表示手段１２の表示画面に、画像情報の送信指示に対応したアイコン等を表示させ、利用者によりタッチパネル２７を介してアイコンをタッチ入力されたかどうかを判断するなどの方法を用いればよい。
【００６４】
ステップＳ３０１の処理にて、ＣＰＵ２１は、画像情報の送信指示があったと判断した場合（Ｓ３０１：ＹＥＳ）、次に、送信する画像情報を選択する処理を実行する（Ｓ３０２）。例えば、表示手段１２へ、記憶されている画像情報を縮小して複数表示するサムネイル方式で表示したり、画像情報のファイル名をリスト化して表示したりすることで、利用者が表示画面を見ながら、送信したい画像情報にタッチをすると、タッチパネル２７を介して指示入力された画像情報を選択できるようになっている。
【００６５】
続いて、ＣＰＵ２１は、回覧送信方法を指示したかどうかを判断する（Ｓ３０３）。ここでは、ＣＰＵ２１が、ステップＳ３０２の処理にて選択された画像情報を、他の複数の表示端末装置に回覧送信方法で送信するのか、または同時に他の複数の表示端末装置へ送信するのかの指示を判断する（Ｓ３０３）。ステップＳ３０３の処理にて、ＣＰＵ２１は、回覧送信方法を指示されたと判断した場合（Ｓ３０３）、次に、回覧する送信先を複数指定する処理を実行する（Ｓ３０４）。具体的には、表示端末装置１０に記憶されている他の表示端末装置１０の電話番号や、ネットワークアドレス等の送信先情報を表示手段１２へ表示し、利用者が回覧したい送信先の送信先情報を選択することで、設定できるようになっているものとする。
【００６６】
次に、ＣＰＵ２１は、ステップＳ３０４の処理で設定された送信先情報の中で、回覧送信する順番を指定する処理を実行する（Ｓ３０５）。具体的には、ステップＳ３０４の処理で設定された送信先情報の中から、送信する順番を選択させるような案内の内容を示す表示画面を表示手段１２へ表示し、利用者による回覧送信の順番の情報を受け付ける処理を実行する。
【００６７】
そして、ステップＳ３０５の処理で指定された回覧送信の順番の最初の送信先へ、ステップＳ３０２で選択された画像情報を送信する処理を実行する（Ｓ３０７）。さらに、ステップＳ３０７では、ステップＳ３０４の処理で設定された回覧する送信先情報を回覧順番の情報を含む送信方法情報を画像情報に対応付けて送信するものとする。よって、ステップＳ３０７の処理で送信された画像情報を、他の表示端末装置１０が受信すると、受信した画像情報と合わせて、次に回覧送信する必要がある他の表示端末装置１０の送信先情報も確認することができるようになっている。
【００６８】
また、ステップＳ３０３の処理にて、回覧送信方法ではなく、複数の他の表示端末装置１０へ同時に送信する方法が指示されたと判断した場合（Ｓ３０３：ＮＯ）、同時に送信する送信先情報を複数設定する処理を実行する（Ｓ３０６）。具体的には、表示端末装置１０に記憶されている他の表示端末装置１０の電話番号や、ネットワークアドレス等の送信先情報を表示手段１２へ表示し、利用者が同時に送信したい送信先の送信先情報を選択することで、設定できるようになっている。
【００６９】
そして、ステップＳ３０６の処理の後、ステップＳ３０２で選択された画像情報と、ステップＳ３０３で指示された送信方法の情報である送信方法情報を対応付けて、ステップＳ３０６で指定された他の複数の表示端末装置１０の送信先情報へ同時に送信する処理を実行する（Ｓ３０７）。続いてステップＳ３０７の処理の後、ＣＰＵ２１は、次に画像情報を送信する指示があるかどうかを判断する（Ｓ３０８）。ステップＳ３０８の処理で、次に画像情報を送信する指示があると判断した場合は（Ｓ３０８：ＹＥＳ）、ステップＳ３０２へ戻り、繰り返し同様の処理が実行される。また、ステップＳ３０８の処理にて、次に画像情報を送信する指示が無いと判断した場合は（Ｓ３０８：ＮＯ）、本処理である画像送信処理を終了する。
【００７０】
次に、図１４、図１５を参照しながら、変形実施形態１での表示端末装置１０にて処理するメイン処理２について説明をする。メイン処理２では、上述した画像送信処理により送信方法が指定されて送信された画像情報に対応した処理が実行できるようになっている。
【００７１】
図１４は、変形実施形態１での表示端末装置１０で処理するメイン処理２のフローチャート図である。また、本処理であるメイン処理２は、図８で説明したメイン処理に対して、一部のステップが異なるのみなので、同じ処理のステップの部分については説明を省略するものとする。
【００７２】
まず初めに、ＣＰＵ２１は、スライドショー選択指示があるかどうかを判断する（Ｓ４０１）。ここでは、図８のメイン処理と同様の処理が実行されるので、詳細な説明は省略するが、具体的には変形実施形態１でも、ステップＳ４０１の処理にて選択されたスライドショーのＩＤをスライドショー情報データベース２４２１の中から特定し、対応する画像ＩＤの項目に記憶されている画像ＩＤの画像情報を、図１５に示す画像情報データベース２４１２から抽出する処理が実行される。
【００７３】
ここで、図１５を参照しながら、変形実施形態１での画像情報データベース２４１２について説明をする。図１５に示す画像情報データベース２４１２は、上述した実施形態での画像情報データベース２４１１（図４）に対して、送信方法の項目が各画像ＩＤに対応して記憶されている点のみが異なるものである。送信方法の項目には、上述した画像送信処理（図１３）にて、表示端末装置１０が、他の表示端末装置１０へ画像を送信する場合に、どの送信方法で送信したかを示す情報が記憶されている。例えば、画像ＩＤ００１については、送信方法の項目には何も記憶されていないので、まだ上述の画像送信処理にて送信されていないことを示す。また、画像ＩＤ００２と画像ＩＤ００４については、送信方法の項目には、同時という情報が記憶されているので、上述の画像送信処理にて同時送信の方法で送信された画像情報であることを示している。また、画像ＩＤ００３については、対応する送信方法の項目には回覧という情報が記憶されているので、上述の画像送信処理にて回覧送信方法を指定して送信された画像情報であることを示している。
【００７４】
そして図１４のメイン処理２に戻り、ステップＳ４０１で選択指示されたスライドショーＩＤがＬ１に対して、ステップＳ４０２での切替時間設定処理と、さらにステップＳ４０３での画像情報を表示する処理まで、図８で説明したメイン処理のステップＳ１０２と、ステップＳ１０３での処理と同様の処理が実行される。そして、ステップＳ４０３の処理にて、画像情報データベース２４１２を参照し、スライドショーＩＤがＬＩで特定されている最初の画像ＩＤ００１に対応した画像情報ＡＡＡが表示される。画像情報データベース２４１２を参照すると、画像ＩＤ００１に対応する表示情報が記憶されていないので、ステップＳ４０４からステップＳ４０６までは、図８に示すメイン処理と同様の処理が実行され、再度ステップＳ４０３の処理へ戻り、画像情報ＡＡＡから次に表示すべき画像ＩＤ００２に対応する画像情報ＢＢＢへ表示を切替える処理が実行される。
【００７５】
そして、ステップＳ４０３の処理にて画像ＩＤ００２に対応した画像情報ＢＢＢが表示されてから、ＣＰＵ２１は表示情報再生処理を実行する（Ｓ４０４）。ここでのステップＳ４０４にて処理する表示情報再生処理は、図８に示すメイン処理でのステップＳ１０４とは異なるので、図１６を参照しながら詳細に説明をする。
【００７６】
図１６は、上述したステップＳ４０４の処理で実行する表示情報再生処理のフローチャート図である。まず初めに、図１４のステップＳ４０３で表示されている画像情報が、回覧送信方法で送信された画像情報であるかどうかを判断する（Ｓ５０１）。具体的には、ステップＳ４０３（図８）の処理で表示している画像情報に対応する送信方法の情報を、画像情報データベース２４１２を参照して判断する。本変形実施形態１では、ステップＳ４０３の処理で表示している画像情報ＢＢＢに対応する画像ＩＤ００２では、ＣＰＵ２１は送信方法の項目に同時という情報が記憶されていることを判断する（Ｓ５０１：ＮＯ）。
【００７７】
そして、次にステップＳ５０１の処理で判断された画像ＩＤに対応した表示情報の中で、画像情報データベース２４１２に記憶されている件数が多い入力者情報に対応した表示情報から順に、対応する表示情報を再生する処理を実行する（Ｓ５０３）。ここでステップＳ５０３について具体的に説明をすると、まず、ステップＳ５０１の処理で判断された画像ＩＤ００２に対応付けて記憶されている表示情報である入力情報が、Ｂ１、Ｂ２、Ｂ３、Ｂ４であることを特定する。そして、それぞれの入力情報に対応する入力者情報が、入力情報Ｂ１では入力者情報Ｋ、同様にＢ２がＬ、Ｂ３がＭ、Ｂ４がＮと対応付けられていることを特定する。さらにその特定された入力者情報に対して、画像情報データベース２４１２に記憶されている件数を算出し、算出された件数が多い順に、特定された入力者情報の順位付けを行う。例えば本変形実施形態１では、画像情報データベース２４１２を参照すると、画像ＩＤ００２の入力情報に対応した入力者情報に対して件数が多い順に、入力者情報Ｎが３件で最も多く、続いてＭが２件、そしてＫとＬはそれぞれ１件となっていることが特定できる。よって、ステップＳ５０３の処理では、ＣＰＵ２１は、画像ＩＤ００２に対応した表示情報である入力情報を、上述した入力者情報の入力件数の多い順に表示する処理を実行するので、入力者情報Ｎに対応した入力情報Ｂ４を最初に再生し、次に入力者情報Ｍに対応した入力情報Ｂ３を再生させ、そして入力者情報Ｋ、Ｌに対応した入力情報であるＢ１，Ｂ２の順に再生する。上述では入力者情報の入力件数が同じである入力情報Ｂ１、Ｂ２については、入力時刻の古い順に再生するようにしたが、特にこれに限るものではない。
【００７８】
また、ステップＳ５０１の処理にて、図１４のステップＳ４０３で表示されている画像情報が、回覧方法で送信された画像情報であると判断した場合は（Ｓ５０１：ＹＥＳ）、判断された画像情報に対応する表示情報を入力時刻の古い順に再生する（Ｓ５０２）。具体的には、例えばステップＳ４０３の処理にて、画像ＩＤ００３に対応した画像情報ＣＣＣを表示している場合、まず画像情報データベース２４１２を参照し、対応する送信方法の項目に回覧という情報が記憶されていることを判断する（Ｓ５０１：ＹＥＳ）。そして、画像ＩＤ００３に対応した表示情報の入力情報であるＣ１、Ｃ２に対して、入力時刻が過去時刻から現在時刻に向かって昇順となるようなＣ１、Ｃ２の順番で表示手段１２へ再生する処理を実行する（Ｓ５０２）。そして、ステップＳ５０２か、またはステップＳ５０３の処理を実行した後、本処理である表示情報再生処理を終了する。
【００７９】
上述したように、画像情報を同時に複数の他の表示端末装置１０を送信先として送信した場合は、自端末の表示端末装置１０は、送信先とした他の表示端末装置１０から受信した画像情報に付加された表示情報を、過去に多く表示情報を提供してくれた入力者に対応した表示情報から順に再生することができる。したがって、利用者は、画像情報や表示情報の送受信回数が多い、比較的親密な他利用者の表示情報から順に、画像情報を表示しながら鑑賞することができるようになる。また、画像情報を複数の他の表示端末１０へ回覧するように送信した場合は、自端末の表示端末装置１０が、他の表示端末装置１０から回覧後に受信した画像情報に付加された表示情報を、入力時刻が過去時刻から現在時刻に向かって昇順に、すなわち、回覧して入力された順に再生することができる。したがって、利用者は、回覧した画像情報に付加された表示情報を回覧順に鑑賞することができる。
【００８０】
そして図１４のメイン処理２に戻り、ステップＳ４０４の表示情報再生処理を実行した後、ＣＰＵ２１はステップＳ４０５、ステップＳ４０６の処理を実行する。本変形実施形態１でのステップＳ４０５、Ｓ４０６の処理は、上述した図８のメイン処理でのステップＳ１０５、Ｓ１０６と同様の処理なので、詳細な説明は省略する。
【００８１】
よって、本変形実施形態１の表示端末装置１０では、他拠点の表示端末装置１０へ画像情報を送信する場合に、送信方法として複数の表示端末装置１０を回覧するように送信するのか、または複数の表示端末装置１０へ同時に画像情報を送信するのかを指定して送信することができる。そしてその指定された送信方法で送信された画像情報を他拠点の表示端末装置１０から受信した場合、自拠点の表示端末装置１０にてメイン処理２を実行することにより、画像情報の送信方法に適した再生条件で、表示情報の再生をすることができる。
【００８２】
また、上述した変形実施形態１の他にも様々な変形が可能である。図８のメイン処理でのステップ１０４の処理では、複数の表示情報である入力情報の中で、タッチパネルを介して入力された入力情報を画像情報に上書きするように再生したが、これに限るものでは無く、他の方法を用いることも可能である。例えば、複数の表示情報の中で、利用者によりタッチパネルを介して入力された入力情報か、またはテキスト情報かどうかを判断し、タッチパネルにより入力された入力情報であると判断された全て入力情報を、表示画面上に同時に表示しても入力情報同士で重なる領域があるかどうかを判断して、重なる領域が無いと判断した場合は、複数の入力情報を上書きするように再生する。また、入力情報同士で重なる領域があると判断した場合は、同じ画像情報に複数の入力情報を上書きするように再生すると、入力情報同士が重なってしまい見難くなってしまうので、一つ入力情報を再生した後は消去し、次の入力情報を新たに再生するように処理するようにしてもよい。ここで、上述したように、ステップＳ１０４の変形実施形態２について、図１７を参照しながら説明をする。
【００８３】
図１７は、表示端末装置１０で実行されるメイン処理（図８）のステップＳ１０４の変形実施形態２として処理する表示情報再生処理２のフローチャート図である。まず、最初に、ＣＰＵ２１は表示情報である入力情報がテキスト情報かどうかを判断する（Ｓ６０１）。具体的には、図８のステップＳ１０３の処理にて表示している画像情報に対応する表示情報の入力情報が、テキスト情報かどうかを判断する。そして、テキスト情報でないと判断した場合（Ｓ６０１：ＮＯ）、テキスト情報では無いと判断した入力情報の全てを同時に表示した場合、重なる領域があるかどうかを判断する（Ｓ６０３）。ここで具体的に説明をすると、例えば、表示している画像情報がＢＢＢとすると、対応する画像ＩＤが００２の表示情報として、画像情報データベース２４１１を参照し、表示情報の入力情報Ｂ１、Ｂ２がテキスト情報では無いと判断する（Ｓ６０３：ＮＯ）。そして、入力情報Ｂ１、Ｂ２を同時に表示した場合、表示手段１２の表示画面上で入力情報同士が重なる領域があるかどうかを判断する（Ｓ６０３）。具体的には、入力情報Ｂ１、Ｂ２に対応する表示情報データベース２４３１−１、２４３１−２の座標情報を参照して、同じ座標情報が記憶されているかどうかにより判断することができる。本実施形態では、図６を参照しても、入力情報Ｂ１、Ｂ２を同時に表示しても重なる領域が無いとしている。したがって、ステップＳ６０３の処理では、重なる領域は無いと判断し（Ｓ６０３：ＮＯ）、ステップＳ６０３の処理で判断した表示情報である入力情報を、ＣＰＵ２１は表示手段１２へ上書きする様に順番に再生する処理を実行する（Ｓ６０４）。
【００８４】
また、ステップＳ６０３の処理にて、表示情報の入力情報を同時に表示すると重なる領域が有ると判断した場合（Ｓ６０３：ＹＥＳ）、入力情報に対応した入力時刻が過去時刻から現在時刻に向かって昇順になるよう、順番に入力情報を個々に再生する。また、ステップＳ６０１の処理にて、入力情報がテキスト情報であると判断した場合も（Ｓ６０１：ＹＥＳ）、上述と同様にステップＳ６０２の処理を実行する。このようにすれば、タッチパネルを介して入力された複数の表示情報が、表示画面上で重なって見難くなることを防ぐことができるようになり、利用者は、より適した再生条件で画像情報と複数の表示情報を鑑賞できるようになる。
【００８５】
また、他の変形例として、例えば図９の切替時間設定処理のステップＳ２０５の処理にて、表示情報の入力情報がテキスト情報の場合は、文字数×１秒で換算して入力時間を算出していたが、これに限るものでは無く、例えば、１文字×０．５秒、１文字×２秒等の様に、利用者が再生時間を適宜設定変更できるようにしてもよい。
【符号の説明】
【００８６】
１０    表示端末装置
１１    タッチペン
１２    表示手段
３０    インターネット回線
５０    文字情報表示領域
【図１】
2011077859.tif 000003
【図２】
2011077859.tif 000004
【図３】
2011077859.tif 000005
【図４】
2011077859.tif 000006
【図５】
2011077859.tif 000007
【図６】
2011077859.tif 000008
【図７】
2011077859.tif 000009
【図８】
2011077859.tif 000010
【図９】
2011077859.tif 000011
【図１０】
2011077859.tif 000012
【図１１】
2011077859.tif 000013
【図１２】
2011077859.tif 000014
【図１３】
2011077859.tif 000015
【図１４】
2011077859.tif 000016
【図１５】
2011077859.tif 000017
【図１６】
2011077859.tif 000018
【図１７】
2011077859.tif 000019